(57)【要約】【課題】  補助線を見やすくする。【解決手段】  ＲＯＭ７２には、黒い色の補助線７１Ｂｋ、白い色の補助線７１Ｗが記憶されている。補助線表示部７０は、スルー画データを解析し、スルー画データを構成する全ての画素の階調値を平均して、階調平均値を算出する。補助線表示部７０は、階調平均値が１２８以下であり、スルー画が暗い画像であると推定される場合には、暗い画像上に表示されたときに見やすいように、補助線７１Ｗを選択する。一方、階調平均値が１２８以上であり、スルー画が明るい画像であると推定される場合には、明るい画像上に表示されたときに見やすいように、補助線７１Ｂｋを選択する。そして、補助線表示部７０は、選択した色の補助線７１をＬＣＤ２７に表示させる。【選択図】        図５
2005198035.tif 000002
【特許請求の範囲】
【請求項１】
被写体のフレーミング用に取り込まれたスルー画像を表示する電子ビューファインダを備えたデジタルカメラにおいて、
縦線、横線からなり、前記フレーミングを補助する補助線を、前記電子ビューファインダに表示させる表示手段と、前記縦線、横線をそれぞれ平行移動させる補助線移動手段と、前記補助線の色または明るさの少なくとも一方を変化させる表示切り替え手段とを設けたことを特徴とするデジタルカメラ。
【請求項２】
前記表示切り替え手段は、前記スルー画像の色濃度情報に応じて、前記補助線が見やすくなるように、自動的に補助線の色または明るさの少なくとも一方を変化させることを特徴とする請求項１記載のデジタルカメラ。
【請求項３】
前記補助線の色または明るさの少なくとも一方に応じて、前記補助線が見やすくなるように、前記スルー画像の色濃度の調節を行う画像処理手段を設けたことを特徴とする請求項１又は２記載のデジタルカメラ。
【請求項４】
水平位置に対してのカメラの傾き角度を検出する角度検出手段を備え、前記表示手段は、前記補助線に加え、水平線、及び、カメラの傾き角度を前記電子ビューファインダに表示させることを特徴とする請求項１〜３いずれか記載のデジタルカメラ。
【発明の詳細な説明】
【技術分野】
【０００１】
本発明は、被写体のフレーミング用に取り込まれたスルー画像を表示する電子ビューファインダを備えたデジタルカメラに関するものである。
【背景技術】
【０００２】
撮影レンズを通して得られる被写体像を、ＣＣＤやＣＭＯＳなどの個体撮像素子によって撮像するデジタルカメラが知られている。デジタルカメラの多くは、液晶モニタなどの電子ビューファインダを備え、ここにいわゆるスルー画像を表示するようになっている。撮影者は、このスルー画像を確認しながらフレーミングを行い、撮影範囲を決めて撮影を行う。
【０００３】
下記特許文献１には、撮影画像が傾きのある画像になってしまうといった問題を防止するために、フレーミングの補助を行う碁盤目状の補助線を電子ビューファインダに表示するようにしたデジタルカメラが記載されている。このデジタルカメラによれば、フレーミング時に、被写体の垂直部分や水平部分と、補助線とが重なり合うようにカメラを構えることにより、撮影画像が傾かない適正な位置にカメラを構えることができる。
【０００４】
しかし、碁盤目状の補助線では、補助線と、被写体の水平部分もしくは垂直部分とが離れている場合に、これらを重ね合わせるようにカメラを構えることが難しい。このため、下記特許文献２には、縦線、横線からなる補助線を表示するとともに、この縦線と横線の表示位置をそれぞれ平行移動できるようにしたデジタルカメラが記載されている。このデジタルカメラによれば、補助線が移動するので、被写体の水平部分や垂直部分と、補助線とを重ね合わせやすく、手早く適正な位置にカメラを構えることができる。
【０００５】
【特許文献１】特開２０００−２７０２４２号公報
【特許文献２】特開２０００−３３３０４５号公報
【発明の開示】
【発明が解決しようとする課題】
【０００６】
しかしながら、従来のデジタルカメラは、補助線の見やすさに関しての配慮が足らず、補助線とスルー画像とが似たような色合いの画像であると、補助線が見づらいといった問題があった。本発明は、このような問題を解決できるデジタルカメラを提供することを目的とする。
【課題を解決するための手段】
【０００７】
上記目的を達成するために、本発明のデジタルカメラは、縦線、横線からなり、フレーミングを補助する補助線を、前記電子ビューファインダに表示させる表示手段と、前記縦線、横線をそれぞれ平行移動させる補助線移動手段と、前記補助線の色または明るさの少なくとも一方を変化させる表示切り替え手段とを設けたことを特徴としている。
【０００８】
前記表示切り替え手段は、前記スルー画像の色濃度情報に応じて、前記補助線が見やすくなるように、自動的に補助線の色または明るさの少なくとも一方を変化させるものでもよい。また、前記補助線の色または明るさの少なくとも一方に応じて、前記補助線が見やすくなるように、前記スルー画像の色濃度の調節を行う画像処理手段を設けてもよい。
【０００９】
さらに、水平位置に対してのカメラの傾き角度を検出する角度検出手段を備え、前記表示手段は、前記補助線に加え、水平線、及び、カメラの傾き角度を前記電子ビューファインダに表示させるものでもよい。
【発明の効果】
【００１０】
本発明のデジタルカメラは、補助線の色や明るさを変化できるようにしたので、補助線を見やすくすることがことができる。また、スルー画像の色濃度情報に応じて、補助線が見やすくなるように、自動的に補助線の色や明るさを変化させることにより、補助線の色や明るさを変化させるための操作を行う必要がない。さらに、補助線の色や明るさに応じて、補助線が見やすくなるように、スルー画像の色濃度を調整することにより、より補助線を見やすくできる。
【００１１】
また、水平位置に対するカメラの傾き角度を検出して、水平線、及び、カメラの傾き角度を表示するようにしたので、例えば、船上など撮影者が不安定であり、被写体の水平部分もしくは垂直部分を、補助線と合わせづらい場合でも、水平線やカメラの傾き角度表示を参考に撮影を行えば、撮影画像が傾かないようにすることが可能となる。
【発明を実施するための最良の形態】
【００１２】
図１および図２において、デジタルカメラ１０の前面には、撮影レンズ１３を保持するレンズ鏡胴１５が組み込まれている他、ストロボ発光部１６が露呈している。デジタルカメラ１０の側面には、メモリカード１７（図３参照）が着脱自在に装填されるメモリカードスロットを覆う蓋１９が設けられている。
【００１３】
デジタルカメラ１０の背面には、操作部２５、液晶表示器（ＬＣＤ）２７、が設けられている。操作部２５は、電源のオンオフを切り替える電源スイッチ２８、撮影レンズ１３のズームレンズをワイド側、テレ側に移動させて変倍を行うズームレバー２９、撮影モードや再生モード、各種設定を行うメニューモードの各モードを切り替えるモード選択スイッチ３０、メニュー画面にて表示されるカーソルの移動や、後述する補助線７１（図４参照）の移動を行うカーソルキー３３とから構成される。
【００１４】
ＬＣＤ２７には、メモリカード１７に記録済みの画像や、各種メニュー画面が表示される。また、デジタルカメラ１０を撮影モードにセットすると、ＬＣＤ２７にはいわゆるスルー画像が表示され、このスルー画像を確認することによりフレーミングを行えるようになっている。
【００１５】
デジタルカメラ１０の上面には、シャッタボタン３５が設けられている。シャッタボタン３５は、２段階押しのスイッチとなっており、撮影モード中に、シャッタボタン３５を軽く押圧（半押し）すると、被写体照度に応じてストロボ充電がなされたり、自動露光調整（ＡＥ）、自動焦点調整（ＡＦ）などの各種撮影準備処理が行われる。この状態でシャッタボタン３５をもう１度強く押圧（全押し）すると、本撮影が行われて、撮影準備のなされた１画面分の撮像信号が画像データに変換された後、各種画像処理および圧縮処理が施され、メモリカード１７に記録される。
【００１６】
図３に示すように、デジタルカメラ１０にはＣＰＵ５５が設けられ、デジタルカメラ１０の各構成部と接続されている。ＣＰＵ５５は、操作部２５や、シャッタボタン３５から入力される操作信号に応じて、接続された各部を駆動制御する。
【００１７】
撮影レンズ１３の背後には、絞り３７、ＣＣＤ４０が並べて配置されている。撮影レンズ１３は、ズームレンズ４３とフォーカスレンズ４５とからなり、それぞれズームモータ４７、フォーカスモータ４９が接続されている。また、絞り３７にはアイリスモータ５０が接続されている。
【００１８】
ズームモータ４７は、ズームレバー２９の操作に連動して、ズームレンズ４３をワイド側、あるいはテレ側に移動させ、ズーミングを行う。フォーカスモータ４９は、被写体距離やズームレンズ４３の変倍に応じてフォーカスレンズ４５を移動させ、撮影条件が最適となるように焦点調整を行う。絞り３７は、アイリスモータ５０により駆動され、撮影光軸を開放する開口の大きさを調節することにより、露出調整を行う。これらのモータ４７、４９、５０はステッピングモータからなり、モータドライバ５７から送信される駆動パルスにより動作制御される。
【００１９】
ＣＣＤ４０は、周知のように、多数の受光素子がマトリクス状に配列された光電面を備えており、撮影レンズ１３や絞り３７を通過し、この光電面に結像した被写体光を光電変換する。光電面の前方には、各画素に光を集光するためのマイクロレンズアレイと、各画素がＲ、Ｇ、Ｂのいずれかに対応するように各色のカラーフィルタアレイとが配置されている。
【００２０】
ＣＣＤ４０は、ＣＣＤドライバ５８から供給される垂直転送クロック及び水平転送クロックに同期して、各画素毎に蓄積された電荷を撮像信号として取得する。ＣＣＤ４０は、デジタルカメラ１０が撮影モードにセットされると画素数を落としたスルー画として撮像信号を取得し、撮影モード中にシャッタボタン３５が全押しされたときには、本画像として撮像信号を取得する。このようにして取り込まれたアナログの撮像信号は、アナログ信号処理回路５９に出力される。
【００２１】
アナログ信号処理回路５９には、図示しない相関二重サンプリング回路（ＣＤＳ）、増幅器（ＡＭＰ）Ａ／Ｄ変換器（Ａ／Ｄ）が設けられ、入力された撮像信号は、ノイズの除去や、信号の増幅が行われた後、デジタルの画像データに変換される。この画像データは、各画素毎にＲ、Ｇ、Ｂの濃度を示す８ｂｉｔ（２５６段階）の階調値を持つＣＣＤーＲＡＷデータであり、データバス６０を介してフレームメモリ６１に出力される。
【００２２】
データバス６０には、フレームメモリ６１やアナログ信号処理回路５９の他に、ＣＰＵ３６、デジタル信号処理回路６２、補助線表示部７０、ＬＣＤ２７などが接続され、これらはデータバス６０を介して情報の送受信を行えるようになっている。フレームメモリ６１は、デジタル信号処理回路６２や、補助線表示部７０が、画像データに対して各種信号処理を施す際に使用される作業用メモリであり、画像データが一時的に記憶される。
【００２３】
デジタル信号処理回路６２は、フレームメモリ６１に記憶された画像データに対して、シャープネス補正、コントラスト補正、ホワイトバランス補正、γ補正などの各種画像処理を施す。この後、本画像として取得された画像データは、所定の圧縮形式（例えばＪＰＥＧ形式）で画像圧縮が施された後、メディアコントローラ６３を経由してメモリカード１７に記録される。
【００２４】
一方、スルー画として取得された画像データは、デジタル信号処理回路６２により各種画像処理が施された後、補助線表示部７０によって、補助線合成処理が行われ、ＬＣＤ２７に表示される。図４に示すように、補助線合成処理がなされると、ＬＣＤ２７には、フレーミングの補助を行う補助線７１が、スルー画に重なるように表示される。以下、補助線合成処理について説明する。
【００２５】
補助線表示部７０には、ＲＯＭ７２が設けられており、縦線７３、横線７４からなる補助線７１を表す画像データ（補助線データ）が記憶されている。補助線表示部７０は、補助線データと、スルー画として取得されフレームメモリ６１に記憶された画像データ（スルー画データ）とを合成した合成画像データを生成して、ＬＣＤ２７に表示させる。補助線表示部７０には、カーソルキー３３の操作信号が入力されるようになっている。補助線表示部７０は、カーソルキー３３の左右の操作に連動させて縦線７３を、カーソルキー３３の上下の操作に連動させて横線７４をそれぞれ平行移動させる。
【００２６】
また、ＲＯＭ７２には、表示色の異なる２種類の補助線データが記憶されている。一方は、ＬＣＤ２７に黒い色の補助線７１Ｂｋを表示させるものであり、他方は、ＬＣＤ２７に白い色の補助線７１Ｗを表示させるものである。そして、合成画像データを生成する際には、補助線７１Ｂｋ、補助線７１Ｗのうちいずれか一方が選択される。
【００２７】
図５に示すように、補助線７１の選択において、補助線表示部７０は、スルー画データを解析し、スルー画データを構成する全ての画素の階調値を平均して、階調平均値を算出する。補助線表示部７０は、階調平均値が１２８以下であり、スルー画が暗い画像であると推定される場合には、暗い画像上に表示されたときに見やすいように、補助線７１Ｗを選択する。一方、階調平均値が１２８以上であり、スルー画が明るい画像であると推定される場合には、明るい画像上に表示されたときに見やすいように、補助線７１Ｂｋを選択する。そして、補助線表示部７０は、選択した色の補助線７１をＬＣＤ２７に表示させる。
【００２８】
以下、上記構成による本発明の作用について、説明を行う。デジタルカメラ１０を撮影モードにセットすると、ＣＣＤ４０による画像の取り込みが開始されて、ＬＣＤ２７にスルー画が表示される。撮影者は、このスルー画を確認することによってフレーミングを行い、撮影範囲を決定する。
【００２９】
ＬＣＤ２７には、スルー画と重なり合うように補助線７１が表示され（図４参照）、カーソルキー３３の操作で、縦線７３及び横線７４を平行移動させることができる。撮影者は、補助線７１を移動させて、被写体の垂直部分と縦線７３を、又は、被写体の水平部分と横線７４を重ね合わせるようにデジタルカメラ１０を構える。こうすることで、被写体に対して傾かないようにデジタルカメラ１０を構えることができ、撮影される画像が傾いてしまうといったことがない。
【００３０】
また、補助線７１には、白い補助線７１Ｗと黒い補助線７１Ｂｋの２種類の補助線が設定されている。そして、スルー画を構成する画素の階調値から、スルー画の明るさが推定され、スルー画が暗い画像であると推定された場合には、暗い画像と同時に表示されても見やすいように、白い補助線７１Ｗが表示され、スルー画が明るい画像であると推定された場合には、明るい画像と同時に表示されても見やすいように、黒い補助線７１Ｂｋが表示される。
【００３１】
このように、デジタルカメラ１０は、スルー画の色濃度情報に基づいて、スルー画の明るさを推定し、推定されたスルー画の明るさに応じて、補助線が見やすくなるように、補助線の表示色を切り替えるので、補助線が見やすい。また、この表示色の切り替えは自動的に行われるので、補助線の表示色の切り替え操作を行う必要がない。
【００３２】
上記実施形態では、白と黒の２種類の補助線を表示させる例で説明をしたが、本発明はこれに限定されるものではない。補助線の表示色は自由に設定することができるので、例えば、赤色や青色の補助線を表示するようにしてもよい。また、補助線の明るさも自由に設定することができる。
【００３３】
なお、上記実施形態では、スルー画の表示中は常に補助線が表示される例で説明をしたが、例えば、ボタンの操作により、補助線の表示、非表示を切り替えるようにしてもよい。また、上記実施形態では、スルー画の色濃度に応じて自動的に補助線の色や明るさが変化する例で説明をしたが、補助線の色や明るさを手動で変化させるようにしてもよい。この場合、例えば、２つの操作ボタンを設け、一方の操作によって補助線の表示色を切り替えて、他方の操作によって補助線の明るさを切り替えるといったことが考えられる。
【００３４】
また、上記実施形態では、スルー画の明るさに応じて、補助線の色や明るさを見やすいものへ変化させる例で説明をしたが、本発明は、これに限定されるものではない。例えば、スルー画が赤色の色味の強い画像である場合には、補助線を赤色に対して補色関係にあたる緑色に変化させ、スルー画が黄色の色味の強い画像である場合には、補助線を黄色に対して補色関係にあたる紫色に変化させるといったように、スルー画像の色味に応じて、補助線の色や明るさを見やすいものへ変化させるようにしてもよい。
【００３５】
この場合、スルー画を構成する画素の階調値をＲ、Ｇ、Ｂごとに分類し、各色ごとの階調平均値を算出する。続いて、算出された各色ごとの階調平均値から、スルー画全体として、どのような色味の画像であるのかを検出する。そして、スルー画の色味とは補色関係となるように、補助線の色や明るさを変化させればよい。このようにしても、上記実施形態と同様の効果を得ることができる。
【００３６】
なお、上記実施形態では、補助線の色や明るさを変化させ、補助線を見やすくする例で説明をしたが、これに加えて、スルー画に対して画像処理を施すことによって、補助線を見やすくしてもよい。この場合、例えば、デジタル信号処理回路において、コントラスト強調、中間調強調などの画像処理を行って、補助線を見やすくすればよい。
【００３７】
また、例えば、船上などで撮影を行う場合には、撮影者が不安定であり、被写体の水平部分もしくは垂直部分を、補助線と合わせづらいといったことが考えられる。このような問題を解決するために、デジタルカメラに、傾き角度検出センサを設け、この角度検出センサから得られるデジタルカメラの傾き角度などの情報を、補助線に加えて表示するようにしてもよい。
【００３８】
この場合、例えば、図６に示すように、角度検出センサから得られるデジタルカメラの傾き角度に基づいて、水平線８０をＬＣＤ２７に表示する。水平線８０は、例えば、縦線７３と横線７４の交差点や、横線７４の一端を支点として回転するように表示する。また、水平線８０に対するカメラ角度情報８１を表示する。
【００３９】
カメラ角度情報８１は、例えば、傾き方向情報、傾き角度情報、角度警告情報とから構成される。傾き方向情報は、カメラが左右いずれの方向に傾いているのかを表し、本例では、１辺が水平線と略平行となる三角形の指標を表示するようにした。傾き角度情報は、水平線８０に対するカメラの傾き角度を表し、本例では、右側に傾いている場合を正方向として、カメラの傾き角度を表示するようにした。
【００４０】
また、角度警告情報は、円形の指標を表示して、例えば、カメラ角度が±２°未満の場合は青色に、カメラ角度が±２°以上±５°未満の場合は黄色に、カメラ角度が±５°以上の場合は赤色に、その表示色が変化するようにした。図６に示す場合は、カメラが水平線８０に対して＋６°傾いているので、角度警告情報を表す円形の指標は、赤色に表示される。
【００４１】
このように、角度検出センサから得られる情報を表示することによって、被写体の水平部分もしくは垂直部分を、補助線と合わせづらい場合でも、水平線や角度警告情報などを参考に撮影を行えば、撮影画像が傾かないようにすることが可能となる。本例では、水平線を表示するようにしたが、もちろん、垂直線を表示することも可能である。また、カメラ角度に応じた警告音をスピーカから発するようにして、撮影者にカメラ角度を知らせるようにしてもよい。
【００４２】
さらに、角度検出センサによらず、スルー画の画像解析を行って、画像の水平度もしくは垂直度を検出することによって、カメラ角度を検知するといったことも可能である。この場合、スルー画の水平度もしくは垂直度のいずれを検出するかを選択し、選択した方向におけるスルー画の傾きを二値解析などにより検出し、これに基づいてカメラ角度を検知する。そして、水平線や垂直線、及び、カメラ角度情報の表示などを行うようにすればよい。
【図面の簡単な説明】
【００４３】
【図１】デジタルカメラの前面側の外観図である。
【図２】デジタルカメラの背面側の外観図である。
【図３】デジタルカメラの構成を表すブロック図である。
【図４】スルー画に重ねて補助線が表示される様子を表す説明図である。
【図５】補助線に加えて、水平線、カメラ角度情報を表示するようにした例を表す説明図である。
【図６】水平線及びカメラ角度情報が表示される様子を表す説明図である。
【符号の説明】
【００４４】
１０    デジタルカメラ
２７    ＬＣＤ
３３    カーソルキー
７０    補助線表示部
７１    補助線
７２    ＲＯＭ
７３    縦線
７４    横線
８０    水平線
８１    カメラ角度情報
【図１】
2005198035.tif 000003
【図２】
2005198035.tif 000004
【図３】
2005198035.tif 000005
【図４】
2005198035.tif 000006
【図５】
2005198035.tif 000007
【図６】
2005198035.tif 000008